(57)【特許請求の範囲】
【請求項１】
別体に形成されたアッパケースとロアケースの開口部相互が接合されて成る吸気レゾネータにおいて、                                    前記一方のケースの開口部の周域に、先端にテーパ面を有する断面形状の突条を形成する一方で、前記他方のケースの開口部の周域に、前記突条の挿入される受容溝とこの受容溝内で前記突条のテーパ面にエッジ当たりするシールエッジを形成し、さらに両ケースに互いの離反を阻止する凹凸係合部を一体に形成したことを特徴とする自動車の吸気レゾネータ。
【請求項２】
前記突条のテーパ面を同突条の外面側に形成する一方で、前記他方のケースの開口部の内周縁部に、前記受容溝の内壁を補強するリブを同ケースの開口部と交差する方向に沿わせて設け、このリブの先端部を前記受容溝の内壁外面と面一となるように前記他方のケースの開口部から突出させたことを特徴とする請求項１に記載の自動車の吸気レゾネータ。
【発明の詳細な説明】
【０００１】
【発明の属する技術分野】
本発明は、自動車の吸気ダクトに配管接続されて吸気振動を抑える吸気レゾネータに関する。
【０００２】
【従来の技術】
自動車の吸気ダクトには所定容積を持つ箱形状のレゾネータが配管接続され、このレゾネータ内の空気が所定周波数域の吸気振動と共振することでその振動を抑えるようになっている。
【０００３】
このレゾネータは通常樹脂材料によって形成されるが、レゾネータは、比較的大型の部品であることから、アッパケースとロアケースとに分割して形成され、両ケースが互いの開口部を突き合わせた状態において熱板溶着や振動溶着、或いは、クリップ止めや螺子止め等によって接合されている。尚、この関連技術は、例えば実開平６−６０７６４号公報等に示されている。
【０００４】
【発明が解決しようとする課題】
しかし、アッパケースとロアケースを熱板溶着や振動溶着によって接合したレゾネータにおいては、溶着のために大掛かりな専用設備を必要とし、設備投資の増大を招くという問題がある。
【０００５】
また、アッパケースとロアケースをクリップ止めや螺子止め等によって接合したレゾネータにおいては、クリップや螺子等の接合のための別部品を必要とし、製造コストの高騰を招く。そして、さらにこのレゾネータにおいては、アッパケースとロアケースの接合部間に隙間ができ易く、ここに隙間ができると、その隙間が吸気振動の抑制効果に悪影響を及ぼすことになる。
【０００６】
そこで本発明は、大掛かりな専用設備や取付けのための別部品を必要とすることなく、アッパケースとロアケースを容易に密閉状態で接合できるようにして、振動吸収性能の向上と製造コストの低減の両立を図ることができる自動車の吸気レゾネータを提供しようとするものである。
【０００７】
【課題を解決するための手段】
上述した課題を解決するための手段として、請求項１に記載の発明は、別体に形成されたアッパケースとロアケースの開口部相互が接合されて成る吸気レゾネータにおいて、前記一方のケースの開口部の周域に、先端にテーパ面を有する断面形状の突条を形成する一方で、前記他方のケースの開口部の周域に、前記突条の挿入される受容溝とこの受容溝内で前記突条のテーパ面にエッジ当たりするシールエッジを形成し、さらに両ケースに互いの離反を阻止する凹凸係合部を一体に形成するようにした。
【０００８】
この発明の場合、アッパケースとロアケースを接合するときには、両ケースの開口部を突き合わせて一方のケースの突条を他方のケースの受容溝に挿入し、受容溝内のシールエッジを突条のテーパ面にエッジ当たりさせた状態で両ケースの凹凸係合部を係合させる。こうして、アッパケースとロアケースが接合されると、両者の開口部間は、突条と受容溝の間のラビリンス構造と、シールエッジとテーパ面のエッジ当たりによって確実に気密が保たれる。
【０００９】
請求項２に記載の発明は、請求項１に記載の発明において、一方のケースの突条のテーパ面を同突条の外面側に形成する一方で、他方のケースの開口部の内周縁部に、受容溝の内壁を補強するリブを同ケースの開口部と交差する方向に沿わせて設け、このリブの先端部を前記受容溝の内壁外面と面一となるように他方のケースの開口部から突出させるようにした。
【００１０】
この発明の場合、アッパケースとロアケースを接合する際に、両ケースの開口部相互を近接させると、最初に他方のケースの開口部から突出したリブの先端部が一方のケースの開口部に挿入され、このとき、このリブが一方のケースの突条を他方のケースの受容溝内に案内するガイドとして機能するようになる。したがって、このとき両ケースの組付けは容易にかつ正確に行われる。また、受容溝内のシールエッジが突条のテーパ面に突き合わされると、突条にはテーパ面を通して内面側方向に向かう押し付け力が作用するが、このとき、他方のケースの内周縁部にはリブが配置されていてこのリブが他方のケースと突条の変位を阻止するように機能するため、レゾネータ内の圧力変動等に拘わらず両ケース間の気密は確実に維持される。
【００１１】
【発明の実施の形態】
次に、本発明の実施例を図面に基づいて説明する。
【００１２】
最初に、図１〜図５に示した本発明の第１実施例について説明する。
【００１３】
このレゾネータは全体が樹脂材料によって所定容積を持つ箱形状に形成され、その上面側には吸気ダクト（図示せず。）の所定位置に分岐接続するための接続ダクト１が延設されている。そして、このレゾネータは、比較的深い有底角筒状のロアケース２と、その上面を閉塞する比較的浅い同形状のアッパケース３とに分割して形成され、両ケース２，３の開口部相互が後に説明する手段によって密閉状態で接合されている。アッパケース３の上面には前記接続ダクト１が一体に形成され、ロアケース２の側壁の外面には車体取付用の係止片４が一体に形成されている。
【００１４】
ロアケース２の上端の開口部には突条５がその周域にわたって連続して形成されている。この突条５はロアケース２の内壁から連続するように立ち上がって形成されており、かつ、その断面は先端外面側にテーパ面６を有する形状となっている。また、ロアケース２の開口部の外周縁部には、上方に向かって屈曲する鉤状ガイド壁７が周方向に離間して複数延設されている。このロアケース２の外周縁部のうちの隣接する鉤状ガイド壁７，７間には、ロアケース２の上方寄り位置にテーパ面８を有するストッパ突起９が延設されている。このストッパ突起９は本発明における一方の凹凸係合部を構成している。
【００１５】
これに対し、アッパケース３の下端の開口部には、ロアケース２の前記突条５が挿入される受容溝１０がその周域にわたって連続して形成されている。そして、この受容溝１０内の底部の外壁側に偏寄した位置には、直角なコーナ部を有するシールエッジ１１が膨出形成されており、突条５が受容溝１０内に挿入された際にこのシールエッジ１１が突条５のテーパ面６にエッジ当たりするようになっている。また、アッパケース３の下端の外周縁部には、舌片状の複数のロック片１２が開口部から所定長さ突出して形成されている。このロック片１２は前記ストッパ突起９に対応する位置に配設されており、その先端部にはストッパ突起９が係合される窓１３が形成されている。このロック片１２は本発明における他方の凹凸係合部を構成している。
【００１６】
また、アッパケース３の開口部の内周縁部には、受容溝１０の内壁を補強するための複数のリブ１４が同ケース３の開口部と交差する方向に沿わせて延設されている。このリブ１４の先端部はアッパケース３の開口部から下方側に所定長さ突出し、しかも、その突出した部分の付け根部はアッパケース３の受容溝１０の内壁外面と面一となっている。
【００１７】
このレゾネータのロアケース２とアッパケース３を接合する場合には、まず、図１，図２に示すように両ケース２，３の開口部相互を突き合わせ、その状態において両ケース２，３を近接させる。こうして両ケース２，３を近接させると、アッパケース３側のリブ１４の先端部が最初にロアケース２の内壁に摺接して、両ケース２，３が正確に位置合わせされるように案内される。そして、このままさらに両ケース２，３を近接させると、ロアケース２の突条５の先端部がロアケース２の受容溝１０内に挿入される一方で、アッパケース３のロック片１２が外面側に弾性変形しつつロアケース２側のストッパ突起９のテーパ面８に乗り上げ、両ケース２，３が所定量近接したところで、図３〜図５に示すように受容溝１０内のシールエッジ１１が突条５のテーパ面６に密接すると共に、ロック片１２の窓１３にストッパ突起９が係合されて両ケース２，３の離反方向の変位が規制される。また、このときアッパケース３側の受容溝１０の外壁はロアケース２の鉤状ガイド壁７内に受容され、突条５の内壁は受容溝１０の内壁外面に密接する。
【００１８】
このレゾネータは以上のような構成であるため、アッパケース３とロアケース２の接合部間は突条５と受容溝１０の間のラビリンス構造と、シールエッジ１１と突条５のテーパ面６のエッジ当たりによって確実に気密状態に保たれることとなる。とりわけ、シールエッジ１１はテーパ面６に当接することから、アッパケース３やロアケース２に多少の製造誤差等があっても組付け時にテーパ面６上を適宜摺動して安定した密接状態を維持することができる。また、シールエッジ１１とテーパ面６の間の押付力は突条５を内側方向に押し込むように作用するが、突条５の内側面に当接する受容溝１０の内壁はリブ１４によって確実に補強されていることから、レゾネータ内の圧力変動が生じても両ケース２，３間の気密は確実に保たれる。
【００１９】
そして、このレゾネータの場合、アッパケース３とロアケース２を接合するに際しては、アッパケース３とロアケース２を近接方向に押し付けてロック片１２をストッパ突起９に係合させるだけで良いため、組付け作業が極めて容易であり、しかも、特別な専用設備や接合のための別部品を要しないために従来のものに比較して低コストでの製造が可能である。
【００２０】
また、アッパケース３の内周縁部に設けたリブ１４は、上述のようにシールエッジ１１と突条５の間のシール反力を支持することができることに加え、その先端部が受容溝１０の内壁外面と面一になるように下方に突出させてあるために、アッパケース３とロアケース２の組付時のガイドとしても機能させることができる。したがって、このレゾネータの場合、アッパケース３とロアケース２のガイドを別に設ける場合に比較して使用材料が少なくて済み、その分レゾネータ全体の重量軽減を図ることができる。
【００２１】
つづいて、本発明の第２，第３，第４実施例について順次説明する。尚、これらの実施例は基本的な構成は第１実施例のものとほぼ同様であるため、第１実施例と同一部分に同一符号を付し、異なる部分についてのみ説明するものとする。図６，図７は本発明の第２実施例を示すものであり、この実施例のレゾネータは、シールエッジ１１の形状と、ロアケース２側に変位規制用のリブ１５を設けてある点だけが第１実施例のものと異なっている。即ち、このレゾネータのシールエッジ１１は突条５のテーパ面６に密接するコーナ部に先端が鋭角的に突出したシール突起１６が設けられており、アッパケース３とロアケース２を組付けたときに図７に示すようにシール突起１６が撓んでテーパ面６に密接するようになっている。そして、ロアケース２の開口部の内周縁部には補強用のリブ１５が所定高さまで突出して形成されており、アッパケース３とロアケース２を組付けたときに、アッパケース３の受容溝１０の内壁端面が図７に示すようにこのリブ１５の上端面に当接して、シール突起１６部分に過大な負荷がかかるのを防止するようになっている。
【００２２】
このレゾネータにおいては、鋭角状に突出したシール突起１６部分がテーパ面６に当接することから、アッパケース３やロアケース２に製造誤差等があっても両者間をより確実に気密状態に保つことができ、しかも、シール突起１６部分に過大な負荷がかかるのをリブ１５によって阻止することができることから、シール突起１６部分の劣化、ひいては、レゾネータ全体の気密性の低下を確実に防止することができる。
【００２３】
また、図８，図９は本発明の第３実施例を示すものであり、この実施例のレゾネータは、突条５の先端部と受容溝１０の底部の形状が第１実施例のものと異なっている。即ち、このレゾネータの場合、突条５の先端部は外面側と内面側の両側にテーパ面６，６ａを有する断面形状となっており、受容溝１０の底部はこのテーパ面６，６ａに対応するように外壁寄り位置と内壁寄り位置に夫々シールエッジ１１，１１ａが設けられている。
【００２４】
このレゾネータは、アッパケース３とロアケース２の組付け時に突条５の両側のテーパ面６，６ａが受容溝１０内の各対応するシールエッジ１１，１１ａに当接するため、両ケース３，２間の接合部のシールがより確実になると共に、突条５が内外両側のシールエッジ１１，１１ａに強固に押さえ付けられて、受容溝１０内で突条５のずれを生じなくなる。
【００２５】
さらに、図１０，図１１は本発明の第４実施例を示すものであり、この実施例のレゾネータは突条５の先端の内側面に、受容溝１０の内壁外面に当接する円弧状の突起１７が膨出形成されている点だけが第１実施例のものと異なっている。このレゾネータの場合、アッパケース３とロアケース２の組付け時に円弧状の突起１７が図１１に示すように受容溝１０の内壁外面に当接し、この突起１７部分でテーパ面６の背部側を効率良く支持してシールエッジ１１とテーパ面６の間のシールをより確実にすることができる。
【００２６】
尚、本発明の実施例は以上で説明したものに限るものでなく、例えば、以上の実施例においてはロアケース２側に突条５を形成し、アッパケース３側に受容溝１０とシールエッジ１１を形成したが、逆にアッパケース３側に突条５を形成し、ロアケース２側に受容溝１０とシールエッジ１１を形成するようにしても良い。
【００２７】
【発明の効果】
以上のように請求項１に記載の発明は、アッパケースとロアケースの開口部を突き合わせて一方のケースの突条を他方のケースの受容溝内に挿入すると共に、受容溝内のシールエッジを突条のテーパ面にエッジ当たりさせ、その状態において両ケースの凹凸係合部を係合させるだけで両ケースを容易に接合することができるため、両ケースを接合するための大掛かりな専用設備や別部品が必要でなくなり、従来のものに比較して低コストでの製造が可能になる。また、両ケースの開口部間を、突条と受容溝の間のラビリンス構造と、シールエッジとテーパ面のエッジ当たりによって確実に気密状態に保つことができるため、所望通りの吸気振動の抑制効果を安定して得ることができる、という効果を奏する。とりわけ、シールエッジによるシールは、突条に形成されたテーパ面に対してシールエッジを当接させるものであるため、アッパケースやロアケースに多少の製造誤差があっても、組付時に突条のテーパ面上をシールエッジが適宜摺動して両ケース間を確実に気密に保つことができる。したがって、各製品毎の吸振性能のばら付きも少なくすることができる。
【００２８】
請求項２に記載の発明は、請求項１に記載の発明と同様の基本的な効果を奏するうえ、他方のケース側に設定したリブによって両ケースの組付時のガイド機能と、シールエッジ，テーパ面間の反力支持機能を併せて得ることができる。したがって、この発明によれば、レゾネータの重量増加を招くことなく、組付作業性の向上と気密性の向上を図ることができる。
【図面の簡単な説明】
【図１】本発明の第１実施例を示す要部の斜視図。
【図２】同実施例を示す組付前の状態の正面図。
【図３】同実施例を示す組付後の状態の正面図。
【図４】同実施例を示す図３のＡ−Ａ線に沿う断面図。
【図５】同実施例を示す図３のＢ−Ｂ線に沿う断面図。
【図６】本発明の第２実施例を示す組付前の状態の断面図。
【図７】同実施例を示す組付後の状態の断面図。
【図８】本発明の第３実施例を示す組付前の状態の断面図。
【図９】同実施例を示す組付後の状態の断面図。
【図１０】本発明の第４実施例を示す組付前の状態の断面図。
【図１１】同実施例を示す組付後の状態の断面図。
【符号の説明】
２…ロアケース
３…アッパケース
５…突条
６…テーパ面
９…ストッパ突起（凹凸係合部）
１０…受容溝
１１…シールエッジ
１２…ロック片（凹凸係合部）
１４…リブ
【図１】
0003542725.tif 000002
【図２】
0003542725.tif 000003
【図３】
0003542725.tif 000004
【図４】
0003542725.tif 000005
【図５】
0003542725.tif 000006
【図６】
0003542725.tif 000007
【図７】
0003542725.tif 000008
【図８】
0003542725.tif 000009
【図９】
0003542725.tif 000010
【図１０】
0003542725.tif 000011
【図１１】
0003542725.tif 000012